(57)【要約】ユーザ端末（ＵＥ）が無線通信で測定結果を報告する方法が提供される。前記方法は、第１の無線アクセス技術（ＲＡＴ）の第１の基地局から第２のＲＡＴの第１のセルに対する情報を含む測定構成を受信するステップ；前記第１のＲＡＴの前記第１の基地局から受信された測定構成に基づいて、前記第２のＲＡＴの前記第１のセル及び第２のセルを測定するステップ；前記第２のＲＡＴの前記第１のセル及び第２のセルの測定結果に基づいて、前記測定結果を報告するかどうかを決定するステップ；及び、前記測定結果を前記第１のＲＡＴの前記第１の基地局に報告するステップ；を含む。
2020526070.tif 000002
【特許請求の範囲】
【請求項１】
無線通信における測定結果をユーザ端末（ＵＥ）により報告する方法であって、
前記方法は、
第１の無線アクセス技術（ＲＡＴ）の第１の基地局から第２のＲＡＴの第１のセルに対する情報を含む測定構成を受信するステップ；
前記第１のＲＡＴの前記第１の基地局から受信された測定構成に基づいて、前記第２のＲＡＴの前記第１のセル及び第２のセルを測定するステップ；
前記第２のＲＡＴの前記第１のセル及び第２のセルの測定結果に基づいて、前記測定結果を報告するかどうかを決定するステップ；及び、
前記測定結果を前記第１のＲＡＴの前記第１の基地局に報告するステップ；を含む、測定結果報告方法。
【請求項２】
前記ＵＥは、マスターノードとして前記第１のＲＡＴの前記第１の基地局と接続され、
前記ＵＥは、セカンダリノードとして前記第２のＲＡＴの第２の基地局と接続される、請求項１に記載の測定結果報告方法。
【請求項３】
前記第１のＲＡＴ及び前記第２のＲＡＴは、異なる無線アクセス技術である、請求項２に記載の測定結果報告方法。
【請求項４】
前記第１のＲＡＴは、ＬＴＥシステムであり、
前記第２のＲＡＴは、ＮＲシステムである、請求項２に記載の測定結果報告方法。
【請求項５】
前記第１のＲＡＴは、ＮＲシステムであり、
前記第２のＲＡＴは、ＬＴＥシステムである、請求項２に記載の測定結果報告方法。
【請求項６】
前記第２のセルは、前記第１のセルの隣接セルである、請求項１に記載の測定結果報告方法。
【請求項７】
前記第１のセルは、セカンダリセル（ＳＣｅｌｌ）である、請求項６に記載の測定結果報告方法。
【請求項８】
前記第２のＲＡＴの前記第１のセルに対する情報は、前記第１のセルの識別子又は前記第１のセルの搬送波（ｃａｒｒｉｅｒ）周波数のうち少なくとも一つを含む、請求項１に記載の測定結果報告方法。
【請求項９】
前記測定結果は、前記測定された第１のセルの結果または前記測定された第２のセルの結果のうち少なくとも一つを含む、請求項１に記載の測定結果報告方法。
【請求項１０】
前記測定された第１のセルの結果は、前記第１のセルの基準信号受信電力（ｒｅｆｅｒｅｎｃｅ  ｓｉｇｎａｌ  ｒｅｃｅｉｖｅｄ  ｐｏｗｅｒ、ＲＳＲＰ）、基準信号受信品質（ｒｅｆｅｒｅｎｃｅ  ｓｉｇｎａｌ  ｒｅｃｅｉｖｅｄ  ｑｕａｌｉｔｙ、ＲＳＲＱ）または基準信号−信号対干渉及び雑音比（ｒｅｆｅｒｅｎｃｅ  ｓｉｇｎａｌ−ｓｉｇｎａｌ  ｔｏ  ｉｎｔｅｒｆｅｒｅｎｃｅ  ａｎｄ  ｎｏｉｓｅ  ｒａｔｉｏ、ＲＳ−ＳＩＮＲ）のうち少なくとも一つであり、
前記測定された第２のセルの結果は、前記第２のセルのＲＳＲＰ、ＲＳＲＱまたはＲＳ−ＳＩＮＲのうち少なくとも一つである、請求項９に記載の測定結果報告方法。
【請求項１１】
前記ＵＥは、前記第１のセルが第１の閾値より悪化し、且つ前記第２のセルが第２の閾値より良好になる場合、前記測定結果を報告することに決定する、請求項１に記載の測定結果報告方法。
【請求項１２】
前記第１の閾値及び前記第２の閾値は、前記第１のＲＡＴの前記第１の基地局により構成される、請求項１１に記載の測定結果報告方法。
【請求項１３】
前記ＵＥは、前記第２のセルが前記第１のセルより良好になる場合、前記測定結果を報告することに決定する、請求項１に記載の測定結果報告方法。
【請求項１４】
前記マスターノードは、前記第２のＲＡＴの前記第１のセルに対する情報を含む前記測定構成を前記ＵＥに送信することによって、前記セカンダリノードの前記第１のセルを変更するようにトリガリングする、請求項２に記載の測定結果報告方法。
【請求項１５】
無線通信における測定結果を報告するユーザ端末（ＵＥ）であって、
前記ＵＥは、
メモリ；
送受信機；及び、
前記メモリ及び前記送受信機に連結されるプロセッサ；を備えてなり、
前記プロセッサは、
第１の無線アクセス技術（ＲＡＴ）の第１の基地局から第２のＲＡＴの第１のセルに対する情報を含む測定構成を受信するように前記送受信機を制御し、
前記第１のＲＡＴの前記第１の基地局から受信された測定構成に基づいて、前記第２のＲＡＴの前記第１のセル及び第２のセルを測定し；
前記第２のＲＡＴの前記第１のセル及び第２のセルの測定結果に基づいて、前記測定結果を報告するかどうかを決定し；及び、
前記測定結果を前記第１のＲＡＴの前記第１の基地局に報告するように前記送受信機を制御する、端末。
【発明の詳細な説明】
【技術分野】
【０００１】
本発明は、無線通信システムに関し、より詳しくは、ユーザ端末（ＵＥ）が測定結果を報告する方法及びこれをサポートする装置に関する。
【背景技術】
【０００２】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システムまたはｐｒｅ−５Ｇ通信システムを開発するための努力が行われている。このような理由で、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システムまたはＬＴＥ（ｌｏｎｇ  ｔｅｒｍ  ｅｖｏｌｕｔｉｏｎ）システム以後（ｐｏｓｔ  ＬＴＥ）以後のシステムと呼ばれている。
【０００３】
ＮＧ−ＲＡＮは、ＭＲ−ＤＣ動作をサポートすることができ、それによって、ＲＲＣ＿ＣＯＮＮＥＣＴＥＤのＵＥは、非理想的（ｎｏｎ−ｉｄｅａｌ）バックホールを介して接続された２個の異なるＮＧ−ＲＡＮノードに位置し、Ｅ−ＵＴＲＡ（即ち、前記ノードは、ｎｇ−ｅＮＢ）またはＮＲアクセス（即ち、前記ノードがｇＮＢである場合）を提供する、２個の区別されるスケジューラにより提供される無線リソースを活用するように構成される。一ノードは、マスターノード（ＭＮ）として作動し、他のノードは、補助ノード（ＳＮ）として動作できる。ＭＮ及びＳＮは、ネットワークインターフェースを介して接続されることができ、少なくともＭＮは、コアネットワークに接続される。
【発明の概要】
【発明が解決しようとする課題】
【０００４】
一方、ＥＮ−ＤＣの無線リソース管理（ＲＲＭ）のために、ＭＮは、イントラＳＮ変更、インターＳＮ変更、ＳＮ追加及び／またはＳＮ解除をトリガすることができる。また、ＳＮは、イントラＳＮ変更、インターＳＮ変更及び／またはＳＮ解除をトリガすることができる。ＭＲ−ＤＣの場合、既存イベントＢ１（即ち、インターＲＡＴ隣接が閾値より良好になる）がＭＮによりトリガされたＳＮ追加に使われることができるが、ＭＮによりトリガされたＳＮ解除またはＳＮ変更には適しない。即ち、ＭＲ−ＤＣの場合、ＭＮによりトリガされたＳＮ解除またはＳＮ変更をサポートするに適したイベントがない。したがって、ＭＲ−ＤＣの場合、ＳＮ解除またはＳＮ変更をサポートするためのイベントが提案される必要がある。
【課題を解決するための手段】
【０００５】
一実施例は、無線通信における測定結果をユーザ端末（ＵＥ）により報告する方法を提供する。前記方法は、第１の無線アクセス技術（ＲＡＴ）の第１の基地局から第２のＲＡＴの第１のセルに対する情報を含む測定構成を受信するステップ；前記第１のＲＡＴの前記第１の基地局から受信された測定構成に基づいて、前記第２のＲＡＴの前記第１のセル及び第２のセルを測定するステップ；前記第２のＲＡＴの前記第１のセル及び第２のセルの測定結果に基づいて、前記測定結果を報告するかどうかを決定するステップ；及び、前記測定結果を前記第１のＲＡＴの前記第１の基地局に報告するステップ；を含む。
【０００６】
他の実施例は、無線通信における測定結果を報告するユーザ端末（ＵＥ）を提供する。前記ＵＥは、メモリ；送受信機；及び、前記メモリ及び前記送受信機に連結され、第１の無線アクセス技術（ＲＡＴ）の第１の基地局から第２のＲＡＴの第１のセルに対する情報を含む測定構成を受信するように前記送受信機を制御し；前記第１のＲＡＴの前記第１の基地局から受信された測定構成に基づいて、前記第２のＲＡＴの前記第１のセル及び第２のセルを測定し；前記第２のＲＡＴの前記第１のセル及び第２のセルの測定結果に基づいて、前記測定結果を報告するかどうかを決定し；及び、前記測定結果を前記第１のＲＡＴの前記第１の基地局に報告するように前記送受信機を制御するプロセッサ；を含む。
【発明の効果】
【０００７】
ＥＮ−ＤＣまたはＮＥ−ＤＣの場合、セカンダリノードが変更され、または解除されることができる。
【図面の簡単な説明】
【０００８】
【図１】ＬＴＥシステム構造を示す。
【図２】制御平面に対するＬＴＥシステムの無線インターフェースプロトコルを示す。
【図３】ユーザ平面に対するＬＴＥシステムの無線インターフェースプロトコルを示す。
【図４】５Ｇシステムアーキテクチャを示す。
【図５】ＮＧ−ＲＡＮと５ＧＣとの間の機能的分離を示す。
【図６】既存の測定実行方法を示す。
【図７】ＥＰＣを利用したＭＲ−ＤＣのアーキテクチャを示す。
【図８】本発明の一実施例に係る測定報告手順を示す。
【図９】本発明の一実施例に係るＳＣｅｌｌ変更手順を説明するための図面である。
【図１０】本発明の一実施例に係るセカンダリノード（ＳＮ）変更手順を説明するための図面を示す。
【図１１】本発明の実施例が具現される無線通信システムのブロック図である。
【発明を実施するための形態】
【０００９】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。５Ｇ通信システムは、 ＬＴＥ−Ａの進化である。
【００１０】
説明を明確にするために、ＬＴＥ−Ａを中心に記述するが、本発明の技術的思想がこれに制限されるものではない。
【００１１】
図１は、ＬＴＥシステム構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００１２】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００１３】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００１４】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００１５】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００１６】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、"ゲートウェイ"と単純に表現し、これはＭＭＥ及びＳ−ＧＷを両方とも含むことができる。
【００１７】
ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによるネットワーク型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多関係（ｍａｎｙ−ｔｏ−ｍａｎｙ−ｒｅｌａｔｉｏｎ）をサポートする。
【００１８】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で接続移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００１９】
図２は、制御平面に対するＬＴＥシステムの無線インターフェースプロトコルを示す。図３は、ユーザ平面に対するＬＴＥシステムの無線インターフェースプロトコルを示す。
【００２０】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）で存在でき、これはＵｕインターフェースのデータ送信を担当することができる。
【００２１】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００２２】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００２３】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００２４】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００２５】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００２６】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００２７】
論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００２８】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しないとき、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００２９】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００３０】
論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００３１】
ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００３２】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００３３】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００３４】
図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００３５】
図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００３６】
図４は、５Ｇシステムアーキテクチャを示す。
【００３７】
図４を参照すると、次世代無線アクセスネットワーク（ＮＧ−ＲＡＮ）ノードは、ＵＥに対してＮＲ無線アクセス（ＮＲ）ユーザ平面及び制御平面プロトコル終端を提供するｇＮＢであり、またはＵＥに対して進化したユニバーザル地上無線接続（Ｅ−ＵＴＲＡ）ユーザ平面及び制御平面プロトコル終端を提供するｎｇ−ｅＮＢである。ｇＮＢ及びｎｇ−ｅＮＢは、Ｘｎインターフェースを介して互いに相互接続されることができる。また、ｇＮＢ及びｎｇ−ｅＮＢは、ＮＧインターフェースを介して５Ｇコアネットワーク（５ＧＣ）に接続されることができ、より具体的には、ＮＧ−Ｃインターフェースを介してＡＭＦ（アクセス及び移動性管理機能）に接続されることができ、ＮＧ−Ｕインターフェースを介してＵＰＦ（ユーザ平面機能）に接続されることができる。ＮＧ−Ｃは、ＮＧ−ＲＡＮと５ＧＣとの間の制御平面インターフェースであり、ＮＧ−Ｕは、ＮＧ−ＲＡＮと５ＧＣとの間のユーザ平面インターフェースである。
【００３８】
図５は、ＮＧ−ＲＡＮと５ＧＣとの間の機能的分離を示す。
【００３９】
図５を参照すると、ｇＮＢ及びｎｇ−ｅＮＢは、下記の機能をホストすることができる。
【００４０】
−無線リソース管理のための機能：無線ベアラ制御、無線許可制御、接続移動性制御、アップリンク及びダウンリンク（スケジューリング）の全てでＵＥに対するリソースの動的割当；
【００４１】
−データのＩＰヘッダ圧縮、暗号化及び無欠性保護；
【００４２】
−ＡＭＦへのルーティングがＵＥにより提供された情報から決定されることができない場合、ＵＥアタッチ（ａｔｔａｃｈ）の時、ＡＭＦの選択；
【００４３】
−ユーザ平面データをＵＰＦ（ら）でルーティング；
【００４４】
−ＡＭＦに向かう制御平面情報のルーティング；
【００４５】
−接続設定及び解除；
【００４６】
−ページングメッセージのスケジューリング及び送信；
【００４７】
−（ＡＭＦまたはＯ＆Ｍから発生する）システム放送情報のスケジューリング及び送信；
【００４８】
−移動性及びスケジューリングのための測定及び測定報告構成；
【００４９】
−アップリンクでの送信レベルパケットマーキング；
【００５０】
−セッション管理；
【００５１】
−ネットワークスライシングのサポート；
【００５２】
−ＱｏＳフロー管理及びデータ無線ベアラへのマッピング；
【００５３】
−ＲＲＣ＿ＩＮＡＣＴＩＶＥ状態にあるＵＥのサポート；
【００５４】
−ＮＡＳメッセージの分配機能；
【００５５】
−無線アクセスネットワーク共有；
【００５６】
−二重接続性；
【００５７】
−ＮＲとＥ−ＵＴＲＡとの間の緊密な連動（ｉｎｔｅｒｗｏｒｋｉｎｇ）。
【００５８】
ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）は、下記の主要機能をホストすることができる。
【００５９】
−ＮＡＳシグナリング終端
【００６０】
−ＮＡＳシグナリングセキュリティ；
【００６１】
−ＡＳセキュリティ制御；
【００６２】
−３ＧＰＰアクセスネットワーク間の移動性のためのインターＣＮノードシグナリング；
【００６３】
−アイドル（ｉｄｌｅ）モードＵＥ到達可能性（ページング再送信の制御及び実行を含む）；
【００６４】
−登録領域管理；
【００６５】
−イントラシステム及びインターシステム移動性のサポート；
【００６６】
−アクセス認証；
【００６７】
−ローミング権限のチェックを含むアクセス認証；
【００６８】
−移動性管理制御（加入及び政策）；
【００６９】
−ネットワークスライシングのサポート；
【００７０】
−ＳＭＦ選択。
【００７１】
ＵＰＦ（Ｕｓｅｒ  Ｐｌａｎｅ  Ｆｕｎｃｔｉｏｎ）は、下記の主要機能をホストすることができる。
【００７２】
−イントラ／インターＲＡＴ移動性のためのアンカーポイント（適用可能な場合）；
【００７３】
−データネットワークに対する相互接続の外部ＰＤＵセッションポイント；
【００７４】
−パケットルーティング及びフォワーディング；
【００７５】
−パケット検査（ｉｎｓｐｅｃｔｉｏｎ）及び政策規則適用（ｅｎｆｏｒｃｅｍｅｎｔ）のユーザ平面部分；
【００７６】
−トラフィック使用報告；
【００７７】
−データネットワークにトラフィックフローをルーティングすることをサポートするアップリンク分類子；
【００７８】
−マルチ−ホームＰＤＵセッションをサポートする分岐ポイント（ｂｒａｎｃｈｉｎｇ  ｐｏｉｎｔ）；
【００７９】
−ユーザ平面に対するＱｏＳ取扱、例えば、パケットフィルタリング、ゲーティング、ＵＬ／ＤＬ料金執行（ｒａｔｅ  ｅｎｆｏｒｃｅｍｅｎｔ）；
【００８０】
−アップリンクトラフィック検証（ＱｏＳフローマッピングに対するＳＤＦ）；
【００８１】
−ダウンリンクパケットバッファリング及びダウンリンクデータ通知トリガリング；
【００８２】
セッション管理機能（ＳＭＦ）は、下記の主要機能をホストすることができる。
【００８３】
−セッション管理；
【００８４】
−ＵＥ  ＩＰアドレス割当及び管理；
【００８５】
−ＵＰ機能の選択及び制御；
【００８６】
−トラフィックを適切な目的地（ｄｅｓｔｉｎａｔｉｏｎ）へルーティングするためにＵＰＦでトラフィック調整（ｓｔｅｅｒｉｎｇ）を構成する；
【００８７】
−政策執行及びＱｏＳの制御部分；
【００８８】
−ダウンリンクデータ通知。
【００８９】
以下、ＬＴＥシステムの測定に対して説明する。
【００９０】
図６は、既存の測定実行方法を示す。
【００９１】
端末は、基地局から測定設定（ｍｅａｓｕｒｅｍｅｎｔ  ｃｏｎｆｉｇｕｒａｔｉｏｎ）情報を受信する（Ｓ６１０）。測定設定情報を含むメッセージを測定設定メッセージという。端末は、測定設定情報に基づいて測定を実行する（Ｓ６２０）。端末は、測定結果が測定設定情報内の報告条件を満たす場合、測定結果を基地局に報告する（Ｓ６３０）。測定結果を含むメッセージを測定報告メッセージという。
【００９２】
測定設定情報は、下記のような情報を含むことができる。
【００９３】
（１）測定対象（Ｍｅａｓｕｒｅｍｅｎｔ  ｏｂｊｅｃｔ）情報：端末が測定を実行する対象に対する情報である。測定対象は、セル内測定の対象であるイントラ周波数測定対象、セル間測定の対象であるインター周波数測定対象、及びインターＲＡＴ測定の対象であるインターＲＡＴ測定対象のうち少なくともいずれか一つを含む。例えば、イントラ周波数測定対象は、サービングセルと同じ周波数バンドを有する隣接セルを指示し、インター周波数測定対象は、サービングセルと異なる周波数バンドを有する隣接セルを指示し、インターＲＡＴ測定対象は、サービングセルのＲＡＴと異なるＲＡＴの隣接セルを指示することができる。
【００９４】
（２）報告設定（Ｒｅｐｏｒｔｉｎｇ  ｃｏｎｆｉｇｕｒａｔｉｏｎ）情報：端末が測定結果を送信することをいつ報告するかに対する報告条件及び報告タイプ（ｔｙｐｅ）に対する情報である。報告設定情報は、報告設定のリストで構成されることができる。各報告設定は、報告基準（ｒｅｐｏｒｔｉｎｇ  ｃｒｉｔｅｒｉｏｎ）及び報告フォーマット（ｒｅｐｏｒｔｉｎｇ  ｆｏｒｍａｔ）を含むことができる。報告基準は、端末が測定結果を送信することをトリガする基準である。報告基準は、測定報告の周期または測定報告のための単一イベントである。報告フォーマットは、端末が測定結果をどのようなタイプで構成するかに対する情報である。
【００９５】
（３）測定識別子（Ｍｅａｓｕｒｅｍｅｎｔ  ｉｄｅｎｔｉｔｙ）情報：測定対象と報告設定を連関させ、端末がどのような測定対象に対していつどのようなタイプに報告するかを決定するようにする測定識別子に対する情報である。測定識別子情報は、測定報告メッセージに含まれ、測定結果がどのような測定対象に対することであり、測定報告がどのような報告条件で発生したかを示すことができる。
【００９６】
（４）量的設定（Ｑｕａｎｔｉｔｙ  ｃｏｎｆｉｇｕｒａｔｉｏｎ）情報：測定単位、報告単位及び／または測定結果値のフィルタリングを設定するためのパラメータに対する情報である。
【００９７】
（５）測定ギャップ（Ｍｅａｓｕｒｅｍｅｎｔ  ｇａｐ）情報：ダウンリンク送信またはアップリンク送信がスケジューリングされなくて、端末がサービングセルとのデータ送信に対する考慮無しで測定のみのために使われることができる区間である測定ギャップに対する情報である。
【００９８】
端末は、測定手順を実行するために、測定対象リスト、測定報告設定リスト及び測定識別子リストを有している。
【００９９】
３ＧＰＰ  ＬＴＥにおいて、基地局は、端末に一つの周波数バンドに対して一つの測定対象のみを設定することができる。表１は、測定報告が誘発されるイベントである。端末の測定結果が設定されたイベントを満たす場合、端末は、測定報告メッセージを基地局に送信する。
【０１００】
【表１】
2020526070.tif 000003
【０１０１】
測定報告は、測定識別子、サービングセルの測定された品質及び隣接セル（ｎｅｉｇｈｂｏｒｉｎｇ  ｃｅｌｌ）の測定結果を含むことができる。測定識別子は、測定報告がトリガされた測定対象を識別する。隣接セルの測定結果は、隣接セルのセル識別子及び測定された品質を含むことができる。測定された品質は、ＲＳＲＰ（Ｒｅｆｅｒｅｎｃｅ  Ｓｉｇｎａｌ  Ｒｅｃｅｉｖｅｄ  Ｐｏｗｅｒ）及びＲＳＲＱ（Ｒｅｆｅｒｅｎｃｅ  Ｓｉｇｎａｌ  Ｒｅｃｅｉｖｅｄ  Ｑｕａｌｉｔｙ）のうち少なくとも一つを含むことができる。
【０１０２】
以下、測定報告のためのイベントトリガ条件に対して具体的に説明する。
【０１０３】
測定報告（ｍｅａｓｕｒｅｍｅｎｔ  ｒｅｐｏｒｔ）をするために１０種類のイベントトリガ条件が定義されており（表１参照）、各イベントトリガ条件は、加入条件（Ｅｎｔｅｒｉｎｇ  Ｃｏｎｄｉｔｉｏｎ）と離脱条件（Ｌｅａｖｉｎｇ  Ｃｏｎｄｉｔｉｏｎ）がある。基地局から該当イベントに対する加入条件を満たす端末は、基地局に対して測定報告を実行することができる。測定報告を実行する端末が該当イベントに対する離脱条件を満たす場合、端末は、基地局に対して測定報告を中断することができる。以下、各イベントに対する加入条件及び離脱条件である。
【０１０４】
１．イベントＡ１（Ｓｅｒｖｉｎｇ  ｂｅｃｏｍｅｓ  ｂｅｔｔｅｒ  ｔｈａｎ  ｔｈｒｅｓｈｏｌｄ）
【０１０５】
（１）イベントＡ１−１加入条件：Ｍｓ−Ｈｙｓ＞Ｔｈｒｅｓｈ
【０１０６】
（２）イベントＡ１−２離脱条件：Ｍｓ＋Ｈｙｓ＜Ｔｈｒｅｓｈ
【０１０７】
２．イベントＡ２（Ｓｅｒｖｉｎｇ  ｂｅｃｏｍｅｓ  ｗｏｒｓｅ  ｔｈａｎ  ｔｈｒｅｓｈｏｌｄ）
【０１０８】
（１）イベントＡ２−１加入条件：Ｍｓ＋Ｈｙｓ＜Ｔｈｒｅｓｈ
【０１０９】
（２）イベントＡ２−２離脱条件：Ｍｓ−Ｈｙｓ＞Ｔｈｒｅｓｈ
【０１１０】
端末は、サービングセルの測定結果Ｍｓによりイベントを発生させる。各パラメータの適用後、サービングセルの測定結果ＭｓがイベントＡ１閾値より良い場合、イベントＡ１が発生し、サービングセルの測定結果ＭｓがイベントＡ２閾値より悪い場合、イベントＡ２が発生する。
【０１１１】
３．イベントＡ３（Ｎｅｉｇｈｂｏｕｒ  ｂｅｃｏｍｅｓ  ｏｆｆｓｅｔ  ｂｅｔｔｅｒ  ｔｈａｎ  ＰＣｅｌｌ／ＰＳＣｅｌｌ）
【０１１２】
（１）イベントＡ３−１加入条件：Ｍｎ＋Ｏｆｎ＋Ｏｃｎ−Ｈｙｓ＞Ｍｐ＋Ｏｆｐ＋Ｏｃｐ＋Ｏｆｆ
【０１１３】
（２）イベントＡ３−２離脱条件：Ｍｎ＋Ｏｆｎ＋Ｏｃｎ＋Ｈｙｓ＜Ｍｐ＋Ｏｆｐ＋Ｏｃｐ＋Ｏｆｆ
【０１１４】
４．イベントＡ４（Ｎｅｉｇｈｂｏｕｒ  ｂｅｃｏｍｅｓ  ｂｅｔｔｅｒ  ｔｈａｎ  ｔｈｒｅｓｈｏｌｄ）
【０１１５】
（１）イベントＡ４−１加入条件：Ｍｎ＋Ｏｆｎ＋Ｏｃｎ−Ｈｙｓ＞Ｔｈｒｅｓｈ
【０１１６】
（２）イベントＡ４−２離脱条件：Ｍｎ＋Ｏｆｎ＋Ｏｃｎ＋Ｈｙｓ＜Ｔｈｒｅｓｈ
【０１１７】
端末は、サービングセルの測定結果Ｍｐ及び隣接セルの測定結果Ｍｎによりイベントを発生させる。各パラメータの適用後、隣接セルの測定結果ＭｎがイベントＡ３オフセットより良い場合、イベントＡ３が発生し、隣接セルの測定結果ＭｎがイベントＡ４閾値より良い場合、イベントＡ４が発生する。
【０１１８】
５．イベントＡ５（ＰＣｅｌｌ／ＰＳＣｅｌｌ  ｂｅｃｏｍｅｓ  ｗｏｒｓｅ  ｔｈａｎ  ｔｈｒｅｓｈｏｌｄ１  ａｎｄ  ｎｅｉｇｈｂｏｕｒ  ｂｅｃｏｍｅｓ  ｂｅｔｔｅｒ  ｔｈａｎ  ｔｈｒｅｓｈｏｌｄ２）
【０１１９】
（１）イベントＡ５−１加入条件：Ｍｐ＋Ｈｙｓ＜Ｔｈｒｅｓｈ１
【０１２０】
（２）イベントＡ５−２加入条件：Ｍｎ＋Ｏｆｎ＋Ｏｃｎ−Ｈｙｓ＞Ｔｈｒｅｓｈ２
【０１２１】
（３）イベントＡ５−３離脱条件：Ｍｐ−Ｈｙｓ＞Ｔｈｒｅｓｈ１
【０１２２】
（４）イベントＡ５−４離脱条件：Ｍｎ＋Ｏｆｎ＋Ｏｃｎ＋Ｈｙｓ＜Ｔｈｒｅｓｈ２
【０１２３】
端末は、ＰＣｅｌｌ／ＰＳＣｅｌｌの測定結果Ｍｐ及び隣接セルの測定結果Ｍｎによりイベントを発生させる。各パラメータ適用後、ＰＣｅｌｌ／ＰＳＣｅｌｌの測定結果ＭｐがイベントＡ５閾値１より悪い、且つ隣接セルの測定結果ＭｎがイベントＡ５閾値２より良い場合、イベントＡ５が発生する。
【０１２４】
６．イベントＡ６（Ｎｅｉｇｈｂｏｕｒ  ｂｅｃｏｍｅｓ  ｏｆｆｓｅｔ  ｂｅｔｔｅｒ  ｔｈａｎ  ＳＣｅｌｌ）
【０１２５】
（１）イベントＡ６−１加入条件：Ｍｎ＋Ｏｃｎ−Ｈｙｓ＞Ｍｓ＋Ｏｃｓ＋Ｏｆｆ
【０１２６】
（２）イベントＡ６−２離脱条件：Ｍｎ＋Ｏｃｎ＋Ｈｙｓ＜Ｍｓ＋Ｏｃｓ＋Ｏｆｆ
【０１２７】
端末は、サービングセルの測定結果Ｍｓ及び隣接セルの測定結果Ｍｎによりイベントを発生させる。各パラメータの適用後、隣接セルの測定結果ＭｎがイベントＡ６オフセットより良い場合、イベントＡ６が発生する。
【０１２８】
７．イベントＢ１（Ｉｎｔｅｒ  ＲＡＴ  ｎｅｉｇｈｂｏｕｒ  ｂｅｃｏｍｅｓ  ｂｅｔｔｅｒ  ｔｈａｎ  ｔｈｒｅｓｈｏｌｄ）
【０１２９】
（１）イベントＢ１−１加入条件：Ｍｎ＋Ｏｆｎ−Ｈｙｓ＞Ｔｈｒｅｓｈ
【０１３０】
（２）イベントＢ１−２離脱条件：Ｍｎ＋Ｏｆｎ＋Ｈｙｓ＜Ｔｈｒｅｓｈ
【０１３１】
端末は、隣接セルの測定結果Ｍｎによりイベントを発生させる。各パラメータの適用後、隣接セルの測定結果ＭｎがイベントＢ１閾値より良い場合、イベントＢ１が発生する。
【０１３２】
８．イベントＢ２（ＰＣｅｌｌ  ｂｅｃｏｍｅｓ  ｗｏｒｓｅ  ｔｈａｎ  ｔｈｒｅｓｈｏｌｄ１  ａｎｄ  ｉｎｔｅｒ  ＲＡＴ  ｎｅｉｇｈｂｏｕｒ  ｂｅｃｏｍｅｓ  ｂｅｔｔｅｒ  ｔｈａｎ  ｔｈｒｅｓｈｏｌｄ２）
【０１３３】
（１）イベントＢ２−１加入条件：Ｍｐ＋Ｈｙｓ＜Ｔｈｒｅｓｈ１
【０１３４】
（２）イベントＢ２−２加入条件：Ｍｎ＋Ｏｆｎ−Ｈｙｓ＞Ｔｈｒｅｓｈ２
【０１３５】
（３）イベントＢ２−３離脱条件：Ｍｐ−Ｈｙｓ＞Ｔｈｒｅｓｈ１
【０１３６】
（４）イベントＢ２−４離脱条件：Ｍｎ＋Ｏｆｎ＋Ｈｙｓ＜Ｔｈｒｅｓｈ２
【０１３７】
端末は、ＰＣｅｌｌ／ＰＳＣｅｌｌの測定結果Ｍｐ及び隣接セルの測定結果Ｍｎによりイベントを発生させる。各パラメータ適用後、ＰＣｅｌｌ／ＰＳＣｅｌｌの測定結果ＭｐがイベントＢ２閾値１より悪い、且つ隣接セルの測定結果ＭｎがイベントＢ２閾値２より良い場合、イベントＢ２が発生する。
【０１３８】
９．イベントＣ１（ＣＳＩ−ＲＳ  ｒｅｓｏｕｒｃｅ  ｂｅｃｏｍｅｓ  ｂｅｔｔｅｒ  ｔｈａｎ  ｔｈｒｅｓｈｏｌｄ）
【０１３９】
（１）イベントＣ１−１加入条件：Ｍｃｒ＋Ｏｃｒ−Ｈｙｓ＞Ｔｈｒｅｓｈ
【０１４０】
（２）イベントＣ１−２離脱条件：Ｍｃｒ＋Ｏｃｒ＋Ｈｙｓ＜Ｔｈｒｅｓｈ
【０１４１】
端末は、ＣＳＩ−ＲＳ測定結果Ｍｃｒによりイベントを発生させる。各パラメータの適用後、ＣＳＩ−ＲＳ測定結果ＭｃｒがイベントＣ１閾値より良い場合、イベントＣ１が発生する。
【０１４２】
１０．イベントＣ２（ＣＳＩ−ＲＳ  ｒｅｓｏｕｒｃｅ  ｂｅｃｏｍｅｓ  ｏｆｆｓｅｔ  ｂｅｔｔｅｒ  ｔｈａｎ  ｒｅｆｅｒｅｎｃｅ  ＣＳＩ−ＲＳ  ｒｅｓｏｕｒｃｅ）
【０１４３】
（１）イベントＣ２−１加入条件：Ｍｃｒ＋Ｏｃｒ−Ｈｙｓ＞Ｍｒｅｆ＋Ｏｒｅｆ＋Ｏｆｆ
【０１４４】
（２）イベントＣ２−２離脱条件：Ｍｃｒ＋Ｏｃｒ＋Ｈｙｓ＜Ｍｒｅｆ＋Ｏｒｅｆ＋Ｏｆｆ
【０１４５】
端末は、ＣＳＩ−ＲＳ測定結果Ｍｃｒ及び参照ＣＳＩ−ＲＳリソースの測定結果Ｍｒｅｆによりイベントを発生させる。各パラメータの適用後、参照ＣＳＩ−ＲＳリソースの測定結果ＭｒｅｆがイベントＣ２オフセットより良い場合、イベントＣ２が発生する。
【０１４６】
前記各イベントに定義されたパラメータは、下記の通りである。
【０１４７】
−Ｍｓは、サービングセルに対する測定結果であり、どんなオフセットも考慮しない。
【０１４８】
−Ｍｐは、ＰＣｅｌｌ／ＰＳＣｅｌｌに対する測定結果であり、どんなオフセットも考慮しない。
【０１４９】
−Ｍｎは、隣接セルに対する測定結果であり、どんなオフセットも考慮しない。
【０１５０】
−Ｍｃｒは、ＣＳＩ−ＲＳリソースの測定結果であり、どんなオフセットも考慮しない。
【０１５１】
−Ｈｙｓは、該当イベントに対するヒステリシスパラメータである（即ち、該当イベントに対して報告設定ＥＵＴＲＡ（ｒｅｐｏｒｔＣｏｎｆｉｇＥＵＴＲＡ）で定義されたヒステリシス）。
【０１５２】
−Ｏｆｎは、隣接セルの周波数の周波数特定オフセットである（即ち、隣接セルの周波数に該当する測定対象ＥＵＴＲＡ（ｍｅａｓＯｂｊｅｃｔＥＵＴＲＡ）で定義されたオフセット周波数）。
【０１５３】
−Ｏｃｓは、サービングセルのセル特定オフセットである（即ち、サービングセルの周波数に該当する測定対象ＥＵＴＲＡで定義されたセル固有オフセット（ｃｅｌｌＩｎｄｉｖｉｄｕａｌＯｆｆｓｅｔ））。もし、サービングセルに対してＯｃｓが設定されていない場合、オフセットを０に設定する。
【０１５４】
−Ｏｃｎは、隣接セルのセル特定オフセットである（即ち、隣接セルの周波数に該当する測定対象ＥＵＴＲＡで定義されたセル固有オフセット）。もし、隣接セルに対してＯｃｎが設定されていない場合、オフセットを０に設定する。
【０１５５】
−Ｏｆｐは、ＰＣｅｌｌ／ＰＳＣｅｌｌの周波数の周波数特定オフセットである（即ち、ＰＣｅｌｌ／ＰＳＣｅｌｌの周波数に該当する測定対象ＥＵＴＲＡで定義されたオフセット周波数）。
【０１５６】
−Ｏｃｐは、ＰＣｅｌｌ／ＰＳＣｅｌｌのセル特定オフセットである（即ち、ＰＣｅｌｌ／ＰＳＣｅｌｌの周波数に該当する測定対象ＥＵＴＲＡで定義されたセル固有オフセット）。もし、ＰＣｅｌｌ／ＰＳＣｅｌｌに対してＯｃｎが設定されていない場合、オフセットを０に設定する。
【０１５７】
−Ｏｃｒは、ＣＳＩ−ＲＳ特定オフセットである（即ち、ＣＳＩ−ＲＳリソースの周波数に該当する測定対象ＥＵＴＲＡで定義されたＣＳＩ−ＲＳ固有オフセット（ｃｓｉ−ＲＳ−ＩｎｄｉｖｉｄｕａｌＯｆｆｓｅｔ））。もし、ＣＳＩ−ＲＳリソースに対してＯｃｒが設定されていない場合、オフセットを０に設定する。
【０１５８】
−Ｍｒｅｆは、参照ＣＳＩ−ＲＳリソースの測定結果であり（即ち、各イベントＣ２に対して報告設定ＥＵＴＲＡで定義された参照ＣＳＩ−ＲＳリソース測定結果）、どんなオフセットも考慮しない。
【０１５９】
−Ｏｒｅｆは、参照ＣＳＩ−ＲＳリソースのＣＳＩ−ＲＳ特定オフセットである（即ち、参照ＣＳＩ−ＲＳリソースの周波数に該当する測定対象ＥＵＴＲＡで定義されたＣＳＩ−ＲＳ固有オフセット）。もし、ＣＳＩ−ＲＳリソースに対してＯｒｅｆが設定されていない場合、オフセットを０に設定する。
【０１６０】
−Ｔｈｒｅｓｈは、各イベントに対する閾値パラメータである（即ち、各イベントに対して報告設定ＥＵＴＲＡで定義された閾値）。イベントＡ１乃至Ｃ２で使われる閾値パラメータは、異なる値である。
【０１６１】
−Ｏｆｆは、各イベントに対するオフセットパラメータである（即ち、各イベントに対して報告設定ＥＵＴＲＡで定義されたオフセット）。イベントＡ３、Ａ６及びＣ２で使われるオフセットパラメータは、異なる値である。
【０１６２】
基地局がサービングセル品質閾値（ｓ−Ｍｅａｓｕｒｅ）を通知する場合と通知しない場合がある。基地局がサービングセルの品質閾値を通知する場合、端末は、サービングセルの品質（ＲＳＲＰ）がサービングセルの品質閾値より低い時、隣接セルの測定及びイベント評価（イベントトリガ条件を満たすかどうか、報告条件（Ｒｅｐｏｒｔｉｎｇ  ｃｒｉｔｅｒｉａ）の評価と呼ばれる）を実行する。一方、基地局がサービングセルの品質閾値を通知しない場合、端末は、サービングセルの品質（ＲＳＲＰ）に頼らずに、隣接セルの測定及びイベント評価を実行する。
【０１６３】
以下、ＭＲ−ＤＣ（Ｍｕｌｔｉ−ＲＡＴ  Ｄｕａｌ  Ｃｏｎｎｅｃｔｉｖｉｔｙ）に対して説明する。
【０１６４】
ＮＧ−ＲＡＮは、ＭＲ−ＤＣ動作をサポートすることができ、それによって、ＲＲＣ＿ＣＯＮＮＥＣＴＥＤのＵＥは、非理想的（ｎｏｎ−ｉｄｅａｌ）バックホールを介して接続された２個の異なるＮＧ−ＲＡＮノードに位置し、Ｅ−ＵＴＲＡ（即ち、前記ノードは、ｎｇ−ｅＮＢ）またはＮＲアクセス（即ち、前記ノードがｇＮＢである場合）を提供する、２個の区別されるスケジューラにより提供される無線リソースを活用するように構成される。一ノードは、マスターノード（ＭＮ）として作動し、他のノードは、補助ノード（ＳＮ）として動作できる。ＭＮ及びＳＮは、ネットワークインターフェースを介して接続されることができ、少なくともＭＮは、コアネットワークに接続される。
【０１６５】
図７は、ＥＰＣを利用したＭＲ−ＤＣのアーキテクチャを示す。
【０１６６】
Ｅ−ＵＴＲＡＮは、Ｅ−ＵＴＲＡ−ＮＲデュアルコネクティビティ（ＥＮ−ＤＣ）を介してＭＲ−ＤＣをサポートすることができ、ここで、ＵＥは、ＭＮの役割をする一つのｅＮＢ及びＳＮの役割をする一つのｅｎ−ｇＮＢに接続される。ｅＮＢは、Ｓ１インターフェースを介してＥＰＣに接続されることができ、Ｘ２インターフェースを介してｅｎ−ｇＮＢに接続されることができる。また、ｅｎ−ｇＮＢは、Ｓ１−Ｕインターフェースを介してＥＰＣに接続されることができ、Ｘ２−Ｕインターフェースを介して他のｅｎ−ｇＮＢに接続されることができる。
【０１６７】
また、ＮＧ−ＲＡＮは、ＮＧ−ＲＡＮ  Ｅ−ＵＴＲＡ−ＮＲ二重接続（ＮＧＥＮ−ＤＣ）をサポートすることができ、ここで、ＵＥは、ＭＮの役割をする一つのｎｇ−ｅＮＢ及びＳＮの役割をする一つのｇＮＢに接続される。ｎｇ−ｅＮＢは、５ＧＣに接続され、ｇＮＢは、Ｘｎインターフェースを介してｎｇ−ｅＮＢに接続される。また、ＮＧ−ＲＡＮは、ＮＲ−Ｅ−ＵＴＲＡデュアルコネクティビティ（ＮＥ−ＤＣ）をサポートすることができ、ここで、ＵＥは、ＭＮの役割をする一つのｇＮＢ及びＳＮの役割をする一つのｎｇ−ｅＮＢに接続される。ｇＮＢは、５ＧＣに接続され、ｎｇ−ｅＮＢは、Ｘｎインターフェースを介してｇＮＢに接続される。
【０１６８】
一方、ＥＮ−ＤＣの無線リソース管理（ＲＲＭ）のために、ＭＮは、イントラＳＮ変更、インターＳＮ変更、ＳＮ追加及び／またはＳＮ解除をトリガすることができる。また、ＳＮは、イントラＳＮ変更、インターＳＮ変更及び／またはＳＮ解除をトリガすることができる。ＭＲ−ＤＣの場合、既存イベントＢ１（即ち、Ｉｎｔｅｒ  ＲＡＴ隣接が閾値より良好になる）がＭＮによりトリガされたＳＮ追加に使われることができるが、ＭＮによりトリガされたＳＮ解除またはＳＮ変更には適しない。即ち、ＭＲ−ＤＣの場合、ＭＮによりトリガされたＳＮ解除またはＳＮ変更をサポートするに適したイベントがない。したがって、ＭＲ−ＤＣの場合、ＳＮ解除またはＳＮ変更をサポートするためのイベントを定義しなければならない。以下、本発明の一実施例に係る端末が測定結果を報告する方法及びこれをサポートする装置に対して詳細に説明する。
【０１６９】
以下、説明の便宜上、ＥＮ−ＤＣシナリオを中心に説明するが、本発明の技術的思想がこれに制限されるものではない。例えば、本発明の技術的思想は、ＮＧＥＮ−ＤＣまたはＮＥ−ＤＣにも適用されることができる。
【０１７０】
（１）事例１：ＭＮによりトリガされたＳＮ追加
【０１７１】
ＳＮ追加手順は、ＭＮによりトリガされることができる。例えば、ＳＮは、ＮＲ  ＳＮであり、ＭＮは、ＬＴＥ  ＭＮである。そして、ＵＥは、ＳＮを追加する必要がある場合、ＮＲ測定結果をＬＴＥ  ＭＮに報告する必要がある。即ち、ｉｎｔｅｒ  ＲＡＴ（即ち、ＮＲ）隣接が閾値より良好になる場合、ＬＴＥ測定報告がトリガされなければならない。
【０１７２】
前記条件は、ＬＴＥでイベントＢ１の入力条件と正確に同じである。これは既存イベントＢ１（Ｉｎｔｅｒ  ＲＡＴ隣接が閾値より良好になる）がＭＮに対してＳＮ追加手順をトリガするときに使われることができることを意味する。同様に、既存イベントＢ１は、ＳＮがＬＴＥ  ＳＮであり、かつＭＮがＮＲ  ＭＮである場合、ＭＮがＳＮ追加手順をトリガするために使われることができる。
【０１７３】
（２）事例２：ＭＮによりトリガされたＳＮ解除
【０１７４】
ＳＮ解除手順は、ＭＮによりトリガされることができる。例えば、ＳＮは、ＮＲ  ＳＮであり、ＭＮは、ＬＴＥ  ＭＮである。その後、ＵＥは、ＳＮが解除される必要がある場合、ＮＲ測定結果をＬＴＥ  ＭＮに報告する必要がある。即ち、ＲＡＴ（即ち、ＮＲ）隣接が閾値より悪化する場合、ＬＴＥ測定報告がトリガされなければならない。
【０１７５】
前記条件は、ＬＴＥで既存イベントＢ１の離脱条件（ｌｅａｖｉｎｇ  ｃｏｎｄｉｔｉｏｎ）と正確に同じである。しかし、イベントＢ１は、離脱条件が満たされる場合、ＵＥが測定報告手順を開始すべきかどうかを示すＲｅｐｏｒｔＯｎＬｅａｖｅをサポートしない。また、離脱条件が満たされる場合、測定報告がトリガされない。即ち、ＬＴＥではＭＮによりトリガされたＳＮ解除をサポートするに適したイベントがない。本発明の一実施例によると、ＭＮがＳＮ無線条件に基づいてＳＮ解除をトリガすることができるように、イベントＢ１は、ＲｅｐｏｒｔＯｎＬｅａｖｅをサポートするように修正されなければならない。
【０１７６】
（３）事例３：ＭＮによりトリガされたインターＳＮ及び／またはイントラＳＮ変更
【０１７７】
インターＳＮ及び／またはイントラＳＮ変更は、ＭＮによりトリガされることができる。例えば、ＳＮは、ＮＲ  ＳＮであり、ＭＮは、ＬＴＥ  ＭＮである。そして、ＵＥは、ＳＮが変更される必要がある場合、ＮＲ測定結果をＭＮに報告する必要がある。これはＲＡＴ（即ち、ＮＲ）隣接がインターＲＡＴ（即ち、ＮＲ）ＳＣｅｌｌより良好になる場合、ＬＴＥ測定報告がトリガされなければならないことを意味する。しかし、ＬＴＥにはこのような報告イベントがない。即ち、ＬＴＥではＭＮによりトリガされたＳＮ変更をサポートするに適したイベントがない。したがって、ＭＮがＳＮ無線条件に基づいて、即ち、ＮＲ  ＳＣｅｌｌと隣接ＮＲセルを比較することによってＳＮ変更をトリガすることができる場合、新しいイベントがＬＴＥで定義されなければならない。
【０１７８】
本発明の一実施例によると、新しいイベント（例えば、インターＲＡＴ隣接がインターＲＡＴ  ＳＣｅｌｌより良好になる）が定義されることができる。ＲＡＴ  ＳＣｅｌｌ関連情報は、報告構成で測定報告イベントと共にＵＥに提供されることができる。端末は、ＭＮからインターＲＡＴ  ＳＣｅｌｌ関連情報を含む報告構成を受信することができる。例えば、ＲＡＴ  ＳＣｅｌｌ関連情報は、セルのセル識別（ＩＤ）及び／または搬送波周波数を含むことができる。例えば、報告構成は、表１のように定義されることができる。
【０１７９】
【表２】
2020526070.tif 000004
【０１８０】
ＵＥのＬＴＥ部分がＮＲ  ＳＣｅｌｌをサービングセルと見なさない場合、新しいイベントは‘ＳＣｅｌｌ’条件（ｔｅｒｍ）を含むべきではない。この場合、新しいイベント（例えば、インターＲＡＴ隣接がインターＲＡＴ  ＳＣｅｌｌより良好になる）は、下記のように定義されることができる：
【０１８１】
−インターＲＡＴ隣接は、基準セルより良好になる。
【０１８２】
ＮＲ  ＳＣｅｌｌ（例えば、インターＲＡＴ  ＳＣｅｌｌ）は、基準セルに指定されることができる。
【０１８３】
本発明の一実施例によると、新しいイベント（例えば、インターＲＡＴ隣接がインターＲＡＴ  ＳＣｅｌｌより良好になり、またはインターＲＡＴ隣接が基準セルより良好になる）が、ＭＮがＳＮ無線条件に基づいてＳＮ変更手順をトリガするように定義されることができる。全てのＮＲ  ＳＣｅｌｌが基準セルに指定された場合、新しいイベントは、下記のように定義されることができる：
【０１８４】
−インターＲＡＴ隣接が基準セルのうち一つより良好になり、または
【０１８５】
−インターＲＡＴ隣接が最上の基準セルより良好になり、または
【０１８６】
−インターＲＡＴ隣接は、最悪の基準セルより良好になる。
【０１８７】
基準セル（ら）関連情報は、報告構成で測定報告イベントと共にＵＥに提供されることができる。例えば、基準セル（ら）関連情報は、セル識別及び／またはセルの搬送波周波数を含む。
【０１８８】
ＭＮ開始ＮＲ対ＬＴＥ  ＳＮ変更の場合、ＵＥは、下記の条件のうち一つが満たされる場合、報告する必要がある：
【０１８９】
−イベント１：基準セルが閾値１より悪化し、隣接が閾値２より良好になる。
【０１９０】
この場合、ネットワークは、インターＲＡＴ  ＰＳＣｅｌｌが閾値１より悪化し、且つ隣接が閾値２より良好になる場合、ＵＥが測定報告をトリガするように基準セルをＮＲ  ＰＳＣｅｌｌに設定できる。報告構成で、基準セル識別（即ち、ＮＲ  ＰＳＣｅｌｌ  ＩＤ）及び／または基準セルの搬送波周波数がこのイベント１と共に含まれることができる。例えば、基準セル識別は、ＥＣＧＩまたはＰＣＩのうち少なくとも一つである。
【０１９１】
−イベント２：インターＲＡＴ基準セルが閾値１より悪化し、隣接が閾値２より良好になる。
【０１９２】
報告構成で、インターＲＡＴ基準セル識別（即ち、ＮＲ  ＰＳＣｅｌｌ識別）及び／またはインターＲＡＴ基準セルの搬送波周波数がこのイベント２と共に含まれることができる。
【０１９３】
−イベント３：インターＲＡＴ  ＰＳＣｅｌｌが閾値１より悪化し、隣接が閾値２より良好になる。
【０１９４】
報告構成で、インターＲＡＴ  ＰＳＣｅｌｌ識別（即ち、ＮＲ  ＰＳＣｅｌｌ識別）及び／またはインターＲＡＴ  ＰＳＣｅｌｌの搬送波周波数がこのイベント３と共に含まれることができる。
【０１９５】
（４）事例４：ＳＮによりトリガされたインターＳＮ及び／またはイントラＳＮ変更
【０１９６】
ＳＮによりインターＳＮ及び／またはイントラＳＮ変更がトリガされることができる。例えば、ＳＮは、ＮＲ  ＳＮであり、ＭＮは、ＬＴＥ  ＭＮである。したがって、ＮＲ測定報告は、下記のような場合にトリガされなければならない。
【０１９７】
−インターＳＮ変更：隣接がＰＳＣｅｌｌより良好にオフセットされる。
【０１９８】
−イントラＳＮ変更：隣接がＳＣｅｌｌより良好にオフセットされる。
【０１９９】
前記条件は、既存イベントＡ３（隣接は、ＰＣｅｌｌ／ＰＳＣｅｌｌより良好にオフセットされる）及びイベントＡ６（隣接は、ＳＣｅｌｌより良好にオフセットされる）と同じである。したがって、ＬＴＥの既存イベントＡ３及びＡ６は、ＳＮによりトリガされたインターＳＮ及び／またはイントラＳＮ変更に適することができ、ＳＮによりトリガされたインターＳＮ及び／またはイントラＳＮ変更に対して既存イベントを修正し、または新しいイベントを定義する必要がない。
【０２００】
（５）事例５：ＳＮによりトリガされたＳＮ解除
【０２０１】
ＳＮ解除は、ＳＮによりトリガされることができる。例えば、ＳＮは、ＮＲ  ＳＮであり、ＭＮは、ＬＴＥ  ＭＮである。したがって、ＮＲ測定報告は、下記のような場合にトリガされなければならない。
【０２０２】
−サービングが閾値より悪化する。
【０２０３】
前記条件は、既存イベントＡ２と同じである（サービングが閾値より悪化する）。したがって、ＬＴＥの既存イベントＡ２は、ＳＮによりトリガされたＳＮ解除に適することができ、ＳＮによりトリガされたＳＮ解除に対する新しいイベントを定義し、または既存イベントを修正する必要がない。
【０２０４】
（６）追加測定報告イベント
【０２０５】
非独立型（ｎｏｎ−ｓｔａｎｄａｌｏｎｅ、ＮＳＡ）の初期にはＮＲセルが広範囲に配置（ｄｅｐｌｏｙ）されなくて、ＥＮ−ＤＣがＬＴＥ  ＤＣと共に使われる。これはＤＣ動作中にＵＥがＬＴＥ  ＳＣｅｌｌより良好なＮＲセルを発見すると、ＰＣｅｌｌにＮＲセルを通知する必要があることを意味する。これを達成するために、下記のような場合、ＬＴＥ  ＤＣからＥＮ−ＤＣへの転換に対するＬＴＥ測定報告がトリガされなければならない。
【０２０６】
−ＰＳＣｅｌｌは、閾値１より悪化し、ＲＡＴ（ＮＲ）隣接は、閾値２より良好になる。
【０２０７】
これはイベントＢ２と類似するが、現在イベントＢ２の対象は、ＰＣｅｌｌにのみ制限される。本発明の一実施例によると、イベントＢ２は、下記のように修正されることができる：
【０２０８】
−イベントＢ２（ＰＣｅｌｌ／ＰＳＣｅｌｌが閾値１より悪化し、インターＲＡＴ（ＮＲ）隣接が閾値２より良好になる）
【０２０９】
それに対して、ＥＮ−ＤＣの間に構成されたＮＲ  ＳＣｅｌｌより良いＬＴＥセルを発見する場合、ＵＥは、報告する必要がある。これを達成するために、下記のような場合、ＥＮ−ＤＣからＬＴＥ  ＤＣへの転換に対してＬＴＥ測定報告がトリガされなければならない：
【０２１０】
−ＰＳＣｅｌｌが閾値１より悪化し、ＬＴＥ（インターＲＡＴ）隣接が閾値２より良好になる。
【０２１１】
これは修正されたイベントＢ２と同じである。したがって、ＬＴＥ  ＤＣとＥＮ−ＤＣとの間の転換がサポートされる場合、イベントＢ２がＰＳＣｅｌｌによりトリガされるように修正されることができる。
【０２１２】
即ち、ＬＴＥ  ＤＣとＥＮ−ＤＣとの間の転換がサポートされる場合、イベントＢ２がＰＳＣｅｌｌによりトリガされるように修正されることができる（即ち、ＰＣｅｌｌ／ＰＳＣｅｌｌが閾値１より悪化し、インターＲＡＴ隣接が閾値２より良好になる）。
【０２１３】
図８は、本発明の一実施例に係る測定報告手順を示す。
【０２１４】
本発明の一実施例によると、測定報告手順は、ＭＮによるＳＮ変更のためにトリガされる。ＭＮがサポートする無線アクセス技術は、ＳＮがサポートする無線アクセス技術と異なる。例えば、ＭＮは、ＬＴＥ基地局であり、ＳＮは、ＮＲ基地局である。その代案として、例えば、ＭＮは、ＮＲ基地局であり、ＳＮは、ＬＴＥ基地局である。
【０２１５】
図８を参照すると、ステップＳ８１０において、端末は、第１の無線アクセス技術（ＲＡＴ）の第１の基地局から第２のＲＡＴの第１のセルに対する情報を含む測定構成を受信することができる。第２のＲＡＴの第１のセルに対する情報は、第１のセルの識別子または第１のセルの搬送波周波数のうち少なくとも一つを含むことができる。
【０２１６】
ＵＥは、マスターノード（ＭＮ）として第１のＲＡＴの第１の基地局と接続されることができ、ＵＥは、補助ノード（ＳＮ）として第２のＲＡＴの第２の基地局と接続されることができる。第１のＲＡＴ及び第２のＲＡＴは、異なる無線アクセス技術である。例えば、第１のＲＡＴは、ＬＴＥシステムであり、第２のＲＡＴは、ＮＲシステムである。例えば、第１のＲＡＴは、ＮＲシステムであり、第２のＲＡＴは、ＬＴＥシステムである。
【０２１７】
マスターノードは、第２のＲＡＴの第１のセルに対する情報を含む測定構成をＵＥに送信することによって、セカンダリノードの第１のセルを変更するようにトリガできる。
【０２１８】
ステップＳ８２０において、ＵＥは、第１のＲＡＴの第１の基地局から受信された測定構成に基づいて、第２のＲＡＴの第１のセル及び第２のセルを測定することができる。第２のセルは、第１のセルの隣接セルである。第１のセルは、現在セカンダリセル（ＳＣｅｌｌ）である。
【０２１９】
ステップＳ８３０において、ＵＥは、第２のＲＡＴの第１のセル及び第２のセルの測定結果に基づいて、測定結果を報告するかどうかを決定することができる。
【０２２０】
ＵＥは、第１のセルが第１の閾値より悪化し、且つ第２のセルが第２の閾値より良好になる場合、測定結果を報告することに決定できる。第１の閾値及び第２の閾値は、第１のＲＡＴの第１の基地局により構成されることができる。
【０２２１】
ＵＥは、第２のセルが第１のセルより良好になる場合、測定結果を報告することに決定できる。
【０２２２】
ステップＳ８４０において、ＵＥは、測定結果を第１のＲＡＴの第１の基地局に報告できる。測定結果は、測定された第１のセルの結果または測定された第２のセルの結果のうち少なくとも一つを含むことができる。測定された第１のセルの結果は、基準信号受信電力（ｒｅｆｅｒｅｎｃｅ  ｓｉｇｎａｌ  ｒｅｃｅｉｖｅｄ  ｐｏｗｅｒ、ＲＳＲＰ）、基準信号受信品質（ｒｅｆｅｒｅｎｃｅ  ｓｉｇｎａｌ  ｒｅｃｅｉｖｅｄ  ｑｕａｌｉｔｙ（ＲＳＲＱ）または基準信号−信号対干渉及び雑音比（ｒｅｆｅｒｅｎｃｅ  ｓｉｇｎａｌ−ｓｉｇｎａｌ  ｔｏ  ｉｎｔｅｒｆｅｒｅｎｃｅ  ａｎｄ  ｎｏｉｓｅ  ｒａｔｉｏ、ＲＳ−ＳＩＮＲ）のうち少なくとも一つであり、測定された第２のセルの結果は、第２のセルのＲＳＲＰ、ＲＳＲＱまたはＲＳ−ＳＩＮＲのうち少なくとも一つである。
【０２２３】
本発明の一実施例によると、ＳＮ変更をトリガするための新しいイベントが定義されることができ、ＭＮは、現在ＳＣｅｌｌを変更するためにＳＮ変更手順をトリガすることができる。即ち、ＥＮ−ＤＣまたはＮＥ−ＤＣの場合、ＭＮは、他のＲＡＴに属するＳＮの基準セルまたは現在ＳＣｅｌｌを変更するようにトリガできる。以後、測定報告に基づいて、現在ＳＣｅｌｌまたは基準セルは、隣接セルに変更されることができる。
【０２２４】
図９は、本発明の一実施例に係るＳＣｅｌｌ変更手順を説明するための図面である。
【０２２５】
図９を参照すると、ＵＥは、第１のＲＡＴの第１のＢＳ及び第２のＲＡＴの第２のＢＳと二重接続性（ｄｕａｌ  ｃｏｎｎｅｃｔｉｖｉｔｙ）を有する。マスターセルは、ＰＣｅｌｌであり、第１のセルは、ＳＣｅｌｌであると仮定する。第１のＲＡＴ及び第２のＲＡＴは、異なる無線アクセス技術である。例えば、第１のＲＡＴは、ＬＴＥシステムであり、第２のＲＡＴは、ＮＲシステムである。例えば、第１のＲＡＴは、ＮＲシステムであり、第２のＲＡＴは、ＬＴＥシステムである。
【０２２６】
ＵＥが第１のセルから第２のセルに移動する場合、ＵＥは、第１の基地局から第１のセルに対する情報を含む測定構成を受信することができる。即ち、ＳＣｅｌｌ変更手順は、第１のセルに対する情報を含む測定構成を送信することによって、他のＲＡＴに属する第１のＢＳによりトリガされることができる。以後、ＵＥは、第１の基地局から受信された測定構成に基づいて現在ＳＣｅｌｌ（即ち、第１のセル）を変更するために第１のセル及び第２のセルを測定することができる。
【０２２７】
第１のセルが第１の閾値より悪化し、且つ第２のセルが第２の閾値より良好になる場合、ＵＥは、測定結果を報告することに決定し、測定結果を第１の基地局に報告できる。測定結果は、測定された第１のセルの結果または測定された第２のセルの結果のうち少なくとも一つを含むことができる。その後、ＳＣｅｌｌは、報告された測定結果に基づいて。現在ＳＣｅｌｌ（即ち、第１のセル）から第２のセルに変更されることができる。
【０２２８】
図１０は、本発明の一実施例に係るセカンダリノード（ＳＮ）変更手順を説明するための図面を示す。
【０２２９】
図１０を参照すると、ＵＥは、第１のＲＡＴの第１のＢＳ及び第２のＲＡＴの第２のＢＳと二重接続性を有する。第２のＢＳ及び第３のＢＳは、同じ無線アクセス技術を有すると仮定される。例えば、第１のＲＡＴは、ＬＴＥシステムであり、第２のＲＡＴは、ＮＲシステムである。例えば、第１のＲＡＴは、ＮＲシステムであり、第２のＲＡＴは、ＬＴＥシステムである。
【０２３０】
ＵＥが第２のセルから第３のセルに移動する場合、ＵＥは、第１の基地局から第２のセルに対する情報を含む測定構成を受信することができる。即ち、第２のセルに対する情報を含む測定構成を送信することによって、他のＲＡＴに属する第１のＢＳによりセカンダリノード変更手順がトリガされることができる。その後、ＵＥは、第１の基地局から受信された測定構成に基づいて、現在セカンダリノード（即ち、第２の基地局）を変更するために第２のセル及び第３のセルを測定することができる。
【０２３１】
第２のセルが第１の閾値より悪化し、且つ第３のセルが第２の閾値より良好になる場合、ＵＥは、測定結果を報告することに決定し、測定結果を第１の基地局に報告できる。測定結果は、測定された第２のセルの結果または測定された第３のセルの結果のうち少なくとも一つを含むことができる。その後、報告された測定結果に基づいて、セカンダリノードは、現在セカンダリノード（即ち、第２の基地局）から第３の基地局に変更されることができる。
【０２３２】
図１１は、本発明の実施例が具現される無線通信システムのブロック図である。
【０２３３】
基地局１１００は、プロセッサ１１０１、メモリ１１０２及び送受信機１１０３を含む。メモリ１１０２は、プロセッサ１１０１と連結され、プロセッサ１１０１を駆動するための多様な情報を格納する。送受信機１１０３は、プロセッサ１１０１と連結され、無線信号を送信及び／または受信する。プロセッサ１１０１は、提案された機能、過程及び／または方法を具現する。前述した実施例において、 基地局の動作は、プロセッサ１１０１により具現されることができる。
【０２３４】
端末１１１０は、プロセッサ（ｐｒｏｃｅｓｓｏｒ）１１１１、メモリ（ｍｅｍｏｒｙ）１１１２及び送受信機（ｔｒａｎｓｃｅｉｖｅｒ）１１１３を含む。メモリ１１１２は、プロセッサ１１１１と連結され、プロセッサ１１１１を駆動するための多様な情報を格納する。送受信機１１１３は、プロセッサ１１１１と連結され、無線信号を送信及び／または受信する。プロセッサ１１１１は、提案された機能、過程及び／または方法を具現する。前述した実施例において、 端末の動作は、プロセッサ１１１１により具現されることができる。
【０２３５】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０２３６】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術であれば、各ステップやブロックが限定的に記述されたものではなく、発明の保護範囲に影響を与えない範囲内で少なくとも一つの他のステップが追加されたり削除されたりすることが可能であるということを知ることができる。
【０２３７】
前述した実施例は、多様な一例を含む。通常の技術であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
2020526070.tif 000005
【図２】
2020526070.tif 000006
【図３】
2020526070.tif 000007
【図４】
2020526070.tif 000008
【図５】
2020526070.tif 000009
【図６】
2020526070.tif 000010
【図７】
2020526070.tif 000011
【図８】
2020526070.tif 000012
【図９】
2020526070.tif 000013
【図１０】
2020526070.tif 000014
【図１１】
2020526070.tif 000015
【国際調査報告】
2020526070.tif 000016
2020526070.tif 000017